(57)【要約】容量性接触センサのための評価方法が提供され、容量性接触センサは、少なくとも１つの伝送電極および少なくとも１つの受信電極、または少なくとも１つのセンサ電極を含み、容量性結合状態にされることが可能であり、少なくとも１つの受信電極または少なくとも１つのセンサ電極において測定信号がタップされ、測定信号は、少なくとも１つの伝送電極と少なくとも１つの受信電極との間の結合静電容量の時間経過およびセンサ電極の容量性負荷の時間経過とを表し、基準信号が測定信号から生成され、基準信号が少なくとも１つの検出基準を満たす場合、少なくとも１つの検出信号が生成される。加えて、容量性接触センサのための評価デバイス、および本発明による評価デバイスを含む電気携帯用デバイスが提供され、評価デバイスは、少なくとも１つの伝送電極および少なくとも１つの受信電極、または容量性接触センサの少なくとも１つのセンサ電極と結合され得る。
2014527217.tif 000002
【特許請求の範囲】
【請求項１】
容量性接触センサのための評価方法であって、前記容量性接触センサは、容量性結合状態にされることが可能な少なくとも１つの伝送電極（ＳＥ）および少なくとも１つの受信電極（ＥＥ）を含み、前記少なくとも１つの受信電極（ＥＥ）において、測定信号（Ｓ１）がタップされ、前記測定信号（Ｓ１）は、前記少なくとも１つの伝送電極（ＳＥ）と前記少なくとも１つの受信電極（ＥＥ）との間の結合静電容量の時間経過を表し、前記測定信号（Ｓ１）から、基準信号（ＳＲＥＦ）が形成され、前記基準信号（ＳＲＥＦ）が少なくとも１つの検出基準を満たす場合、少なくとも１つの検出信号（Ｓ２）が生成される、方法。
【請求項２】
容量性接触センサのための評価方法であって、前記容量性接触センサは、少なくとも１つのセンサ電極（ＳＥ／ＥＥ）を含み、前記少なくとも１つのセンサ電極（ＳＥ／ＥＥ）において、測定信号（Ｓ１）がタップされ、前記測定信号（Ｓ１）は、前記センサ電極（ＳＥ／ＥＥ）と基準接地との間の容量性負荷の時間経過を表し、前記測定信号（Ｓ１）から、基準信号（ＳＲＥＦ）が形成され、前記基準信号（ＳＲＥＦ）が少なくとも１つの検出基準を満たす場合、少なくとも１つの検出信号（Ｓ２）が生成される、方法。
【請求項３】
前記測定信号（Ｓ１）は、低域通過フィルタリングされ、前記測定信号（Ｓ１）の低域通過フィルタリング後、前記測定信号（Ｓ１）と前記低域通過フィルタリングされた測定信号との間の差異信号が形成され、前記差異信号は、前記基準信号（ＳＲＥＦ）を構成する、請求項１〜２のいずれかに記載の方法。
【請求項４】
前記基準信号（ＳＲＥＦ）の生成は、前記測定信号（Ｓ１）の微分および前記測定信号（Ｓ１）の高域通過フィルタリングのうちの１つを含む、請求項１または２のいずれかに記載の方法。
【請求項５】
前記検出基準は、上方閾値（ＵＴ）および／または下方閾値（ＬＴ）を含む、請求項１〜４のいずれかに記載の方法。
【請求項６】
前記検出基準は、上限値（ＵＬ）および／または下限値（ＬＬ）を含み、前記上限値（ＵＬ）は、前記上方閾値（ＵＴ）を上回り、前記下限値（ＬＬ）は、前記下方閾値（ＬＴ）を下回る、請求項５に記載の方法。
【請求項７】
前記基準信号（ＳＲＥＦ）が前記下方閾値（ＬＴ）を下回る場合、第１の検出信号（Ｓ２．１）が生成される、請求項５から６のいずれかに記載の方法。
【請求項８】
前記基準信号（ＳＲＥＦ）が前記上方閾値（ＵＴ）を上回る場合、第２の検出信号（Ｓ２．２）が生成される、請求項５から７のいずれかに記載の方法。
【請求項９】
前記基準信号（ＳＲＥＦ）が前記下方閾値（ＬＴ）を下回り、かつ、前記下限値（ＬＬ）を上回る場合、第１の検出信号（Ｓ２．１）が生成される、請求項６から８のいずれかに記載の方法。
【請求項１０】
前記基準信号（ＳＲＥＦ）が前記上方閾値（ＵＴ）を上回り、かつ、前記上限値（ＵＬ）を下回る場合、第２の検出信号（Ｓ２．２）が生成される、請求項６から９のいずれかに記載の方法。
【請求項１１】
前記第１の検出信号（Ｓ２．１）および前記第２の検出信号（Ｓ２．２）は、デジタル信号であり、前記検出信号（Ｓ２．１、Ｓ２．２）が少なくとも１つの情報基準を満たす場合、情報信号（Ｓ３）が生成される、請求項７から１０のいずれかに記載の方法。
【請求項１２】
前記情報基準は、
前記第１の検出信号（Ｓ２．１）の２つのパルスの立ち上がりエッジ間、または
前記第２の検出信号（Ｓ２．２）の２つのパルスの立ち上がりエッジ間、または
前記第１の検出信号（Ｓ２．１）のパルスの立ち上がりエッジと前記第２の検出信号（Ｓ２．２）のパルスの立ち上がりエッジとの間の
時間間隔が、所定の値を上回るか、または下回ること、
前記第１の検出信号（Ｓ２．１）のパルスまたは前記第２の検出信号（Ｓ２．２）のパルスのパルス持続時間が、所定の値を上回るか、または下回ること、
所定の時間期間（Δｔ１）内において、前記第１の検出信号（Ｓ２．１）、または前記第２の検出信号（Ｓ２．２）、または前記第１の検出信号（Ｓ２．１）および前記第２の検出信号（Ｓ２．２）が、所定の数のパルスを含むこと、および、
前記第１の検出信号（Ｓ２．１）および前記第２の検出信号（Ｓ２．２）のパルスのシーケンスが、ある一定のパターンを含むこと
のうちの少なくとも１つを含む、請求項１１に記載の方法。
【請求項１３】
請求項１を参照して、結合静電容量が、伝送方式または吸収方式によって測定され、請求項２を参照して、容量性負荷が、負荷方式によって測定される、請求項１〜１２のいずれかに記載の方法。
【請求項１４】
前記測定信号（Ｓ１）の信号レベルが所定の基準レベルを下回る場合、前記測定信号（Ｓ１）は、所定の第１のサンプリングレートを使用してサンプリングされ、前記測定信号（Ｓ１）の信号レベルが前記所定の基準レベルを上回る場合、前記測定信号（Ｓ１）は、所定の第２のサンプリングレートを使用してサンプリングされる、請求項１〜１３のいずれかに記載の方法。
【請求項１５】
前記第１のサンプリングレートは、前記第２のサンプリングレートより低い、請求項１４に記載の方法。
【請求項１６】
前記測定信号（Ｓ１）の信号レベルが所定の基準レベルを下回る場合、前記測定信号（Ｓ１）は、所定の第１の増幅を使用して増幅され、前記測定信号（Ｓ１）の信号レベルが前記所定の基準レベルを上回る場合、前記測定信号（Ｓ１）は、所定の第２の増幅を使用して増幅され、前記第２の増幅は、前記測定信号（Ｓ１）が、常時、前記容量性接触センサの動作範囲内にあるように選定される、請求項１〜１５のいずれかに記載の方法。
【請求項１７】
前記受信電極（ＥＥ）または前記センサ電極（ＳＥ／ＥＥ）において、少なくとも１つの第２の測定信号（Ｓ１ｂ）が、タップされ、前記基準信号（ＳＲＥＦ）の生成に先立って、前記測定信号（Ｓ１）および前記少なくとも１つの第２の測定信号（Ｓ１ｂ）は、互に組み合わされ、前記基準信号（ＳＲＥＦ）は、前記組み合わされた測定信号から生成される、請求項１〜１６のいずれかに記載の方法。
【請求項１８】
前記測定信号（Ｓ１；Ｓ１ｂ）は、組み合わせることに先立って、信号事前処理を受ける、請求項１７に記載の方法。
【請求項１９】
容量性接触センサのための評価デバイスであって、前記評価デバイスは、少なくとも１つの伝送電極（ＳＥ）および少なくとも１つの受信電極（ＥＥ）、または、前記容量性接触センサの少なくとも１つのセンサ電極（ＳＥ／ＥＥ）と結合され、前記評価デバイスは、請求項１〜１８のいずれかに記載の評価方法を実施するように適合されている、評価デバイス。
【請求項２０】
電気携帯用デバイスであって、前記電気携帯用デバイスにおいて、少なくとも１つの伝送電極（ＳＥ）および少なくとも１つの受信電極（ＥＥ）、または、少なくとも１つのセンサ電極（ＳＥ／ＥＥ）が、配列され、評価デバイスと結合され、前記評価デバイスは、請求項１から１８のいずれかに記載の評価方法を実施するように適合されている、電気携帯用デバイス。
【請求項２１】
モバイル無線ユニット、遠隔制御、ゲーム用コンソールのための入力手段、ポータブルミニコンピュータ、スマートフォン、コンピュータマウス、およびコンピュータのための入力手段のうちの少なくとも１つを含む、請求項２０に記載の電気携帯用デバイス。
【請求項２２】
前記電気携帯用デバイスは、変形可能様式で設計され、前記携帯用デバイスの変形は、前記少なくとも１つの伝送電極（ＳＥ）と前記少なくとも１つの受信電極（ＥＥ）との間の結合静電容量の変動を生じさせる、請求項２０または２１に記載の電気携帯用デバイス。
【発明の詳細な説明】
【技術分野】
【０００１】
本発明は、に関する。加えて、本発明は、本発明による評価方法を実施するように適合されている、容量性接触センサのための評価デバイスに関する。加えて、本発明による評価デバイスを含む電気携帯用デバイスが、本発明によって提供される。
【背景技術】
【０００２】
携帯用デバイス、特に、携帯電話に配置され、それぞれ、手による電気携帯用デバイスの接触および把持を検出し得る、容量性接触センサが、先行技術から公知である。電気携帯用デバイスの接触および把持が、それぞれ検出されると、電気携帯用デバイスは、例えば、スリープモードから動作モードに移行され得る。動作モードの変更後、電気携帯用デバイスの把持の検出時、なおもさらなる機能が、電気携帯用デバイス内でアクティブ化され得る。例えば、手による携帯電話の把持の検出は、携帯電話が手によって把持されると、着信呼に応答するために使用され得る。
【０００３】
しかしながら、携帯用デバイスの把持に割り当てられている機能は、携帯用デバイスの把持が実際に生じたときのみ、実施され得る。例えば、携帯電話に着信する呼は、呼の着信中に携帯電話が既に手によって把持されている場合、手によって携帯電話を把持することによって、応答することはできない。電気携帯用デバイスが既に手によって把持されている場合、携帯用デバイスのさらなる動作は、容量性ベースでは、もはや検出されることができない。携帯用デバイスのさらなる機能、例えば、呼への応答は、従来の様式で、例えば、機械的キーを作動させることによってのみ、作動されることができる。
【発明の概要】
【発明が解決しようとする課題】
【０００４】
したがって、本発明の目標は、例えば、電気携帯用デバイスにおいて、携帯用デバイスが既に手によって把持されている場合にも、容量性ベースで、動作入力の検出を可能にする解決策を提供することである。
【課題を解決するための手段】
【０００５】
本発明によると、この目標は、独立請求項に表されるように、容量性接触センサのための評価方法および容量性接触センサのための評価デバイスならびに本発明による評価デバイスを含む電気携帯用デバイスによって達成される。本発明の有利な実施形態は、それぞれの従属請求項に表される。
【０００６】
それによると、容量性接触センサのための評価方法が提供され、容量性接触センサは、容量性結合状態にされることが可能である、少なくとも１つの伝送電極および少なくとも１つの受信電極を含み、
−少なくとも１つの受信電極において、少なくとも１つの伝送電極と少なくとも１つの受信電極との間の結合静電容量の時間経過を表す、測定信号が、タップされ、
−基準信号が、測定信号から形成され、
−基準信号が少なくとも１つの検出基準を満たす場合、少なくとも１つの検出信号が生成される。
【０００７】
また、容量性接触センサのための評価方法が提供され、容量性接触センサは、少なくとも１つのセンサ電極を含み、
−少なくとも１つのセンサ電極において、センサ電極と基準接地との間の容量性負荷の時間経過を表す、測定信号が、タップされ、
−基準信号が、測定信号から形成され、
−基準信号が少なくとも１つの検出基準を満たす場合、少なくとも１つの検出信号が生成される。
【０００８】
以下、２つの前述の評価方法の有利な実施形態が、規定される。
【０００９】
測定信号は、低域通過フィルタリングされ得、測定信号の低域通過フィルタリング後、測定信号と低域通過フィルタリングされた測定信号との間の差異信号が形成され、差異信号は、基準信号を表す。
【００１０】
基準信号の形成は、測定信号の微分および測定信号の高域通過フィルタリングのうちの１つを含み得る。
【００１１】
検出基準は、上方閾値および／または下方閾値を含み得る。
【００１２】
検出基準は、上限値および／または下限値を含み得る。好ましくは、上限値は、上方閾値を上回り、下限値は、下方閾値を下回る。
【００１３】
基準信号が、下方閾値を下回る場合、第１の検出信号が、生成され得る。
【００１４】
基準信号が、上方閾値を上回る場合、第２の検出信号が、生成され得る。
【００１５】
基準信号が、下方閾値を下回り、下限値を上回る場合、第１の検出信号が、生成され得る。
【００１６】
基準信号が、上方閾値を上回り、上限値を下回る場合、第２の検出信号が、生成され得る。
【００１７】
好ましくは、第１の検出信号および第２の検出信号は、デジタル信号であり、検出信号が、少なくとも１つの情報基準を満たす場合、情報信号が生成される。
【００１８】
情報基準は、例えば、
−第１の検出信号の２つのパルスの立ち上がりエッジ間、または
−第２の検出信号の２つのパルスの立ち上がりエッジ間、または
−第１の検出信号のパルスの立ち上がりエッジと第２の検出信号のパルスの立ち上がりエッジとの間の
−時間間隔が、所定の値を上回るか、または下回ること、
−第１の検出信号のパルスまたは第２の検出信号のパルスのパルス持続時間が、所定の値を上回るか、または下回ること、
−所定の時間期間内において、第１の検出信号または第２の検出信号または第１の検出信号および第２の検出信号は、所定の数のパルスを含む、および／または
−第１の検出信号および第２の検出信号のパルスの連続は、あるパターンを有すること
であり得る。
【００１９】
結合静電容量は、伝送方式または吸収方式を使用して測定され得る。容量性負荷は、負荷方式を使用して測定され得る。
【００２０】
測定信号の信号レベルが所定の基準レベルを下回る場合、測定信号は、所定の第１のサンプリングレートを使用してサンプリングされ得る。測定信号の信号レベルが、所定の基準レベルを上回る場合、測定信号は、所定の第２のサンプリングレートを使用してサンプリングされ得る。
【００２１】
好ましくは、第１のサンプリングレートは、第２のサンプリングレートより低い。
【００２２】
測定信号の信号レベルが所定の基準レベルを下回る場合、測定信号は、所定の第１の増幅を使用して増幅され得る。測定信号の信号レベルが、所定の基準レベルを上回る場合、測定信号は、所定の第２の増幅を使用して増幅され得、第２の増幅は、測定信号が、常時、容量性接触センサの動作範囲内にあるように選定される。
【００２３】
少なくとも１つの第２の測定信号が、受信電極またはセンサ電極においてタップされ得、基準信号の形成に先立って、測定信号および少なくとも１つの第２の測定信号は、互に組み合わされ、基準信号が、組み合わされた測定信号から形成される。
【００２４】
測定信号（測定信号および第２の測定信号）は、組み合わせることに先立って、信号事前処理を受け得る。
【００２５】
さらに、容量性接触センサのための評価デバイスが提供され、容量性接触センサは、少なくとも１つの伝送電極および少なくとも１つの受信電極、または、容量性接触センサの少なくとも１つのセンサ電極と結合され得、本発明による評価方法を実施するように適合される。
【００２６】
加えて、電気携帯用デバイスが提供され、電気携帯用デバイスにおいて、少なくとも１つの伝送電極および少なくとも１つの受信電極または少なくとも１つのセンサ電極が、配列され、評価デバイスと結合され、評価デバイスは、本発明による評価方法を実施するように適合される。
【００２７】
電気携帯用デバイスは、モバイル無線ユニット、遠隔制御、ゲーム用コンソールのための入力手段、ポータブルミニコンピュータ、スマートフォン、コンピュータマウス、およびコンピュータのための入力手段のうちの少なくとも１つを含み得る。
【００２８】
電気携帯用デバイスは、変形可能であるように設計され得、携帯用デバイスの変形は、少なくとも１つの伝送電極と少なくとも１つの受信電極との間の結合静電容量の変動を生じさせる。
【００２９】
本発明のさらなる詳細および特性は、図面とともに、以下の説明から生じる。
【図面の簡単な説明】
【００３０】
【図１】図１は、手によって把持される電気携帯用デバイスを示す。
【図２ａ】図２ａは、伝送方式および／または吸収方式に従って動作される、本発明による容量性センサの動作モードの明確化のための等価回路図を示す。
【図２ｂ】図２ｂは、負荷方式に従って動作される、本発明による容量性センサの動作モードの明確化のための等価回路図を示す。
【図３】図３は、本発明による容量性センサデバイスの受信電極でタップされた測定信号の振幅の時間経過を示し、電気携帯用デバイスを手で圧搾することによって生じる、および／または携帯用デバイスから一時的に指を持ち上げることによって生じる、容量性センサの静電容量変動が見られ得る。
【図４】図４は、容量性センサの受信電極でタップされた信号を示し、電気携帯用デバイスの圧搾および／または携帯用デバイスからの一時的な指の持ち上げを表す、いくつかのピークが、視認可能である。
【図５ａ】図５ａは、２つの閾値を含み、容量性センサの受信電極およびセンサ電極でタップされる、測定信号の微分信号（基準信号）、ならびに微分信号から導出される、２つのデジタル信号（検出信号）を示す。
【図５ｂ】図５ｂは、２つの閾値を含み、容量性センサの受信電極およびセンサ電極でタップされる、測定信号の高域通過フィルタリングされた信号（基準信号）、ならびに高域通過フィルタリングされた信号から導出される、２つのデジタル信号（検出信号）を示す。
【図６ａ】図６ａは、容量性センサの受信電極およびセンサ電極でタップされた測定信号の低域通過フィルタリングされた信号を示す。
【図６ｂ】図６ｂは、図６ａに示される信号の差異から形成される、基準信号を示す。
【図７】図７は、本発明による評価方法に従って情報信号を生成するための本発明による信号処理の実施例を示す。
【発明を実施するための形態】
【００３１】
図１は、手によって把持される、電気携帯用デバイス、例えば、携帯電話Ｇを示す。携帯電話は、容量性接触センサを含み、それによって、携帯用デバイスＧの把持が、検出され得る。容量性接触センサは、少なくとも１つの受信電極ＥＥおよび少なくとも１つの伝送電極ＳＥを含む。図１に示される携帯電話では、伝送電極ＳＥが、左側、すなわち、携帯電話Ｇの左側壁に配列される。受信電極ＥＥは、右側、すなわち、携帯電話Ｇの右側壁に配列され、本明細書に示される実施例では、手の指によって覆われる。
【００３２】
携帯電話Ｇが、手によって把持されると、伝送電極ＳＥと受信電極ＥＥとの間の容量性結合が、生じる。また、把持の結果、電極ＳＥとＥＥとの間の既存の弱容量性結合は、増幅（伝送方式、図２ｅ参照）または弱化（吸収方式、図２ａ参照）され得る。伝送電極ＳＥは、交番電場が放出され、携帯電話Ｇを把持している間、手を介して、受信電極ＥＥに結合するように、交番電気信号によって負荷がかけられる。伝送電極ＳＥで放出され、手を介して、受信電極ＥＥに結合される、交番電場の一部は、受信電極ＥＥ内の電流の変動を生じさせ、評価デバイスによって検出されることができる。
【００３３】
伝送電極ＳＥおよび受信電極ＥＥはまた、手によって把持しなくても、容量性結合状態にされることが可能であるように、電気携帯用デバイスに配列され得る。例えば、携帯用デバイスは、手による携帯用デバイスの強い圧搾が、一時的変形につながるような変形可能様式において、設計され得る。好ましくは、変形可能携帯用デバイスにおいて、伝送電極ＳＥおよび受信電極ＥＥは、一時的変形が、２つの電極ＳＥとＥＥとの間の距離の変動につながるように、その上に配列される。距離の変動とともに、また、２つの電極ＳＥとＥＥとの間の容量性結合の変動も伴い、そして、受信電極ＥＥ内において電流の変動を生じさせ、それが、評価デバイスによって検出され得る。
【００３４】
加えて、電極ＳＥおよびＥＥは、携帯用デバイスが手によって把持される場合、携帯用デバイスの表面に対する指の移動もまた、２つの電極ＳＥとＥＥとの間の容量性結合の変動をもたらし、そして、それが、本発明による評価デバイスによって検出され得るように、携帯用デバイスＧに配列されるか、または携帯用デバイスＧにおいて、互に対して配列される。
【００３５】
容量性接触センサはまた、１つのみ、またはいくつかのセンサ電極ＳＥ／ＥＥ（図１には図示せず）を含み得る。センサ電極ＳＥ／ＥＥは、左側、すなわち、携帯電話Ｇの左側壁、または右側、すなわち、携帯電話Ｇの右側壁に配列され得る。しかしながら、センサ電極ＳＥ／ＥＥはまた、携帯電話Ｇの正面または背面に配列され得る。
【００３６】
センサ電極ＳＥ／ＥＥが、手によって覆われるように、携帯電話Ｇを把持した状態では、少なくとも部分的に、センサ電極ＳＥ／ＥＥと基準接地との間の容量性負荷（負荷方式、図２ｂ参照）が、変化する。この変動は、評価デバイスによって検出され得る。
【００３７】
１つのみのセンサ電極ＳＥ／ＥＥでは、実質的に、携帯用デバイスの表面に対する指の移動が、検出され得る。実質的に、電気携帯用デバイスの２つの反対側壁に配列される、少なくとも２つのセンサ電極ＳＥ／ＥＥでは、また、携帯用デバイスの把持も、確実に検出され得る。
【００３８】
このように、携帯用デバイスが既に手によって把持されているときも、有利な様式において、容量性ベースで携帯用デバイスの動作を検出することが初めて実行可能となる。本発明による様式では、これは、特に、以下により詳細に説明される、本発明による評価方法によって可能となる。
【００３９】
図２ａは、手によって把持され、伝送方式および吸収方式に従って動作する、携帯用デバイスにおける、本発明による容量性センサの等価回路図を示す。手による携帯用デバイスＧの把持の間、伝送電極ＳＥと受信電極ＥＥとの間の結合静電容量は、変動し、ここでは、伝送電極ＳＥと手との間の結合静電容量Ｃ１および手と受信電極ＥＥとの間の結合静電容量Ｃ２として与えられる。伝送電極と受信電極ＥＥとの間の結合静電容量Ｃ１、Ｃ２の変動は、受信電極ＥＥ内の電流の変動として、測定および検出され得る。それぞれ、容量性センサの特定の接地条件に応じて、接近および把持は、電極ＳＥとＥＥとの間の容量性結合の減少（吸収）または増加（伝送）につながる。
【００４０】
受信電極ＥＥおよび伝送電極ＳＥは各々、評価デバイスＡと結合される。評価デバイスＡは、一方では、交番電場が伝送電極ＳＥから放出され、手を経由して受信電極に結合されるように、交番電気信号によって伝送電極ＳＥに負荷をかけるために提供される。他方では、評価デバイスＡはまた、受信電極ＥＥでタップされた電気信号（測定信号）を分析するため、すなわち、受信電極ＥＥ内の電流の時間変動を検出および評価するために提供される。
【００４１】
手によって把持される電気携帯用デバイスが、より強く圧搾されると、結合静電容量Ｃ１、Ｃ２は、変化し、そして、それは、受信電極ＥＥ内の電流のレベルに影響を及ぼす。携帯用デバイスの高速圧搾（わずかのみであっても、携帯用デバイスの幾何学形状が変化するような、および／または電極と手との間の容量性結合が変化するような手による携帯用デバイスの高速圧搾）が、携帯用デバイスを把持する手によって実施されると、これは、受信電極ＥＥ内の電流の急上昇をもたらし、本発明による方法を使用して、検出および評価され得る。加えて、また、携帯用デバイスの表面に対する携帯用デバイスＧを把持する手の指の移動（好ましくは、携帯用デバイスに向かっての接近および携帯用デバイスからの除去）は、変動、好ましくは、受信電極ＥＥ内の電流の急上昇および下降をもたらす。
【００４２】
結合静電容量Ｃ１、Ｃ２の時間変動は、概して、例えば、携帯用デバイスの指の距離の変動によって（また、携帯用デバイスが、手によって把持されるとき）および／または電極と、例えば、ユーザの手との間の有効活性結合表面の変動によって（携帯用デバイスが、通常より強く圧搾されるときもまた、有効結合表面は、増加される）生じ得る。
【００４３】
実際、結合静電容量Ｃ１、Ｃ２の変動は、ほぼ以下の状態間（状態（Ａ）と状態（Ｂ）との間）で変動する（これはまた、負荷方式に従う、センサ電極ＳＥ／ＥＥにおける容量性負荷の変動にも該当する、図２ｂ参照）。
（Ａ）例えば、デバイスが、テーブル上に位置付けられている。
（Ｂ）デバイスが、手によって把持されている。
−＞これは、実質的に、手とデバイスとの間の距離の変化に対応し、以下では、「把持」とも表される。
（Ａ）デバイスが、手上に位置付けられている。
（Ｂ）デバイスが、手によって把持されている。
−＞これは、実質的に、手とデバイスとの間の距離の変化に対応する。
（Ａ）デバイスが、低把持力によって把持されている。
（Ｂ）デバイスは、高把持力によって把持されている。
−＞これは、実質的に、指および手のひらに触れている表面の表面変化に対応し、以下では、「圧搾」と表される。
（Ａ）デバイスが、手によって把持されており、親指および／または指が、デバイスの表面上に静止している。
（Ｂ）デバイスが、手によって把持されており、親指および／または１本または数本の指が、デバイスの表面上に静止していない。すなわち、親指および／または１本または数本の指が、意図的に、デバイスの表面から持ち上げられている（除去されている）、および／または好ましくは、再び、すぐにデバイスの表面上に静止される。
−＞これは、実質的に、表面の変化および／または距離の変化に対応し、以下では、「把持上時タップ」とも表される。
【００４４】
親指および指の開始位置（静止位置）に関して、以下の間で微分され得る。
−親指／指が、デバイスの表面上に静止している。
−親指／指が、デバイスの表面上に静止していない。
【００４５】
携帯用デバイスのユーザは、意図的に、前述の説明される状態間を切り替えてもよく、このように、結合静電容量Ｃ１、Ｃ２の時間変動を生成し得る。
【００４６】
図２ｂは、手によって把持され、負荷方式に従って動作する、携帯用デバイスにおける、本発明による容量性センサの等価回路図を示す。
【００４７】
負荷方式における容量性センサの動作の間、伝送電極ならびに受信電極を表す、１つのみのセンサ電極ＳＥ／ＥＥが必要とされる。また、負荷電極とも表される、センサ電極ＳＥ／ＥＥでは、交番電場が、そこから放出されるように、交番電気信号が、供給され、センサ電極ＳＥ／ＥＥの容量性負荷は、評価デバイスによって、検出および分析される。
【００４８】
負荷方式では、実質的に、容量性センサのセンサ電極と基準接地との間の容量性負荷は、接近および把持を検出するために使用される。容量性負荷は、センサ電極ＳＥ／ＥＥから基準接地まで有効である電場の強度が、導電性の手の接近によって増加され、したがって、センサ電極ＳＥ／ＥＥと基準接地との間の静電容量Ｃ１、Ｃ３が、増加することを意味する。容量性負荷は、したがって、センサ電極ＳＥ／ＥＥから基準接地まで有効な電場の強度に対する評価基準であり、センサ電極ＳＥ／ＥＥと基準接地との間の静電容量Ｃ１、Ｃ３に対する評価基準である。
【００４９】
また、いくつかのセンサ電極ＳＥ／ＥＥおよび負荷電極が、携帯用デバイスに配列され得、各センサ電極ＳＥ／ＥＥに対して、容量性負荷が検出され得る。このように、単純な様式で、また、手による携帯用デバイスの把持も、検出され得る。ある実施形態では、第１のセンサ電極ＳＥ／ＥＥは、左側壁に配列され得、第２のセンサ電極ＳＥ／ＥＥは、右側壁に配列され得る。
【００５０】
受信電極ＥＥおよびセンサ電極ＳＥ／ＥＥ内の電流の変動の検出および評価は、図２ａによるセンサデバイスを用いて、図３から図７を参照して以下により詳細に説明される。それぞれの様式における、評価および評価方法もまた、図２ｂを参照して示される負荷方式のために使用され得る。
【００５１】
図３は、受信電極ＥＥでタップされた測定信号Ｓ１の振幅の時間経過を示し、ここでは、デジタル化形式で示される。測定信号Ｓ１は、最初に、電気携帯用デバイスが、手によって把持されていることの事実を示す、あるレベルを有する。
【００５２】
電気携帯用デバイスが、手によって把持されていないとき、受信電極ＥＥでタップされたアナログ信号は、第１のサンプリングレートを使用してデジタル化され得る。例えば、アナログ信号は、約１０Ｈｚの第１のサンプリングレートを使用して、デジタル化およびサンプリングされ得る。多くの場合、携帯用デバイスの把持を確実に検出するために、低サンプリングレートで十分である。低い第１の低サンプリングレートは、アナログ信号が、所定の信号レベルを下回る限り維持され得、所定の信号レベルを下回る状態は、前述のような携帯用デバイスの圧搾によって、または、指の除去および接近によっては、生じない。
【００５３】
電気携帯用デバイスが、手によって把持された後、測定信号の信号レベルＳ１は、時間ｔ＝３３まで、実質的に、ほぼ一定のままである。
【００５４】
約時間ｔ＝３３と時間ｔ＝３４との間ならびに時間ｔ＝３４と時間ｔ＝３５との間では、各々、デバイスの急圧搾が、電気携帯用デバイスのユーザによって実施されている。各場合の急圧搾は、レベルの急上昇をもたらし、それは、測定信号Ｓ１において、顕著に視認可能である。
【００５５】
約時間ｔ＝３６および時間ｔ＝３７では、携帯用デバイスは、依然として、手によって把持されており、携帯用デバイスの表面上に静止する、指、例えば、親指が、一時的に、携帯用デバイスから除去され、その都度、測定信号Ｓ１のレベルの急下降をもたらす。時間ｔ＝３９と時間ｔ＝４０との間では、短い時間間隔で、携帯用デバイスの表面上に静止する指が、一時的に、携帯用デバイスから除去され、そして、それは、測定信号Ｓ１のレベルの急下降をもたらす。ここに示されるレベルの急下降はまた、数本の指の接近／除去によってももたらされ得る。
【００５６】
デバイスの急圧搾および指の急除去／接近の確実な検出を可能にするために、手による携帯用デバイスの把持の検出後、把持を検出するための第１のサンプリングレートより高い、測定信号をサンプリングするための第２のサンプリングレートを使用することが有利である。第２のサンプリングレートは、約２０Ｈｚ〜５０Ｈｚであり得る。特定の要件に応じて、第２のサンプリングレートはまた、５０Ｈｚより高くてもよい。
【００５７】
携帯用デバイスの解放後、再び、第１のサンプリングレートが、使用され得る。
【００５８】
既に、第１のサンプリングレートがまた、指の急圧搾および急除去／接近の検出のために十分である値を有する場合、サンプリングレートの変動は、行なわれなくてもよい。
【００５９】
図４は、受信電極ＥＥでタップされた測定信号Ｓ１の時間経過を示す。携帯用デバイスの把持後、ユーザは、デバイスＧの一時的急圧搾によって、いくつかの入力を実施する。圧搾による急入力は、その都度、測定信号Ｓ１のレベルの急上昇をもたらし、ここでは、測定信号Ｓ１におけるピークとして見られ得る。また、ここでは、時間ｔ＝１におけるレベルの上昇も視認可能であるが、しかしながら、これは、携帯用デバイスＧの一時的急圧搾を表すものではなく、より長い時間の間の携帯用デバイスの強い圧搾である。本発明の好ましい実施形態では、しかしながら、図４に示される信号の経過において、１１個のユーザ入力のみ検出されるように、携帯用デバイスの急かつ一時的圧搾のみ、入力として検出されるものとする。本発明の別の実施形態では、測定信号Ｓ１におけるピークはまた、その都度、指の一時的除去／接近によって生じ得る。
【００６０】
受信電極でタップされた測定信号Ｓ１が、最初に、デジタル化され、次いで、周波数分析および測定信号事前処理を受けることが有利である。
【００６１】
また、評価に先立って、測定信号を増幅させることも有利であり得る。加えて、増幅された測定信号が、常時、評価デバイスの動作範囲内にあり、レベルの急上昇の測定信号が、測定信号のクリッピングをもたらすであろう、限界に到達しないように、把持の検出後、測定信号を増幅させることも有利であり得る。把持の間の増幅もまた、例えば、異なる周囲条件に反応することが可能であるように、時間に伴って、動的に適合され得る。
【００６２】
図５ａは、本発明による容量性センサの受信電極でタップされた、図３に示される測定信号Ｓ１の微分信号（基準信号ＳＲＥＦ）を示す。測定信号Ｓ１の微分によって、測定信号の変化率が、決定され得る。加えて、受信電極ＥＥでタップされる測定信号Ｓ１の微分および導関数によって、例えば、指のゆっくりとした接近／除去によって生じる、レベルのゆっくりとした変化は、ユーザ入力として認識されないことが達成される。また、より長い時間期間の間の電気携帯用デバイスの強い圧搾も、同様に、動作入力として検出されないことが達成される。
【００６３】
また、図５ａ（ならびに以下により詳細に説明される図５ｂおよび図６ｂ）に示されるのは、上方閾値ＵＴおよび下方閾値ＬＴである。閾値ＵＴおよびＬＴを、上回ることおよび下回ることは、測定信号Ｓ１のレベルが、所定の最小速度で変化していることの指標として理解され得る。
【００６４】
加えて、（デジタル、すなわち、バイナリ）検出信号Ｓ２．２およびＳ２．１が、上方閾値ＵＴおよび下方閾値ＬＴに割り当てられる。基準信号ＳＲＥＦが、上方閾値ＵＴを上回るとき、検出信号Ｓ２．２のレベルは、論理ＨＩＧＨに設定される。上方閾値ＵＴが、再び、下回るとき、検出信号Ｓ２．２のレベルは、再び、論理ＬＯＷに設定される。同様に、また、検出信号Ｓ２．１も、生成される。基準信号ＳＲＥＦが、下方閾値ＬＴを下回るとき、検出信号Ｓ２．１のレベルは、論理ＨＩＧＨに設定される。下方閾値ＬＴが、再び、上回ると、検出信号Ｓ２．１のレベルは、再び、論理ＬＯＷに設定される。当然ながら、状態ＬＯＷおよびＨＩＧＨＴはまた、互に交換され得る。同様に、図５ａを参照して説明される検出信号Ｓ２．１およびＳ２．２の生成もまた、図５ｂおよび図６ｂを参照して示される検出信号Ｓ２．１およびＳ２．２に適用される。
【００６５】
検出信号Ｓ２．１およびＳ２．２は、図６ｂを参照してより詳細に説明されるように、特定のデバイス機能をアクティブ化するために評価および使用され得る。
【００６６】
測定信号Ｓ１の微分の代替として、基準信号ＳＲＥＦはまた、測定信号の高域通過フィルタリングによって生成され得る。
【００６７】
図５ｂは、本発明による容量性センサの受信電極でタップされた、図３に示される測定信号Ｓ１の高域通過フィルタリングされた信号（基準信号ＳＲＥＦ）を示す。好ましくは、一次の高域通過フィルタが、使用される。大部分に対する基準信号ＳＲＥＦは、微分によって生成された基準信号ＳＲＥＦに一致している（図５ａ参照）。同様に、ここに示されるのは、上方閾値ＵＴおよび下方閾値ＬＴならびに検出信号Ｓ２．１およびＳ２．２である。閾値ＵＴおよびＬＴならびに検出信号Ｓ２．１およびＳ２．２に関しては、図５ａに関する説明が参照される。
【００６８】
図６ａおよび図６ｂを参照して示されるのは、図５ａおよび図５ｂに示される測定信号の事前処理の代替であり、第１のステップでは、図３に示される測定信号Ｓ１の低域通過フィルタリングが実施され、第２のステップでは、基準信号ＳＲＥＦが、測定信号Ｓ１および低域通過フィルタリングされた測定信号から生成される。
【００６９】
図６ａは、本発明による容量性センサの受信電極ＥＥでタップされた、第１のステップで生成された図３に示される測定信号Ｓ１の低域通過フィルタリングされた信号ＳＴＰを示す。好ましくは、一次低域通過フィルタが使用され、異なる時定数が、測定信号の立ち上がりおよび立ち下がりエッジのために使用され得る。
【００７０】
図６ｂは、測定信号Ｓ１および低域通過フィルタリングされた測定信号ＳＴＰから生成される、基準信号ＳＲＥＦを示す。このため、測定信号Ｓ１と低域通過フィルタリングされた測定信号ＳＴＰとの間の差異が、決定される（すなわち、Ｓ１−ＳＴＰ）。測定信号Ｓ１と低域通過フィルタリングされた測定信号ＳＴＰとの間の差異は、この場合、変動量に対する評価基準である。
【００７１】
図５ａおよび図５ｂにおけるように、検出基準として、また、ここでは、上方閾値ＵＴおよび下方閾値ＬＴが、定義され、それを上回ることおよび下回ることは、図５ａを参照して説明されるように、それぞれの検出信号Ｓ２．１およびＳ２．２のレベルの変動をもたらす。
【００７２】
加えて、提供されるのは、上限値ＵＬおよび下限値ＬＬである。例えば、限界値ＵＬおよびＬＬは、上向きおよび下向き方向における逸脱値を検出し、適用可能である場合、それらをフィルタリング除去し、または少なくとも、それぞれの検出信号Ｓ２．１およびＳ２２を生成する間、それらを無視したまま残すために提供され得る。上向きおよび／または下向き方向における逸脱値は、例えば、測定誤差に伴って生じ得る。評価方法のロバスト性は、このように、改善され得る。下限および上限値はまた、図５ａおよび図５ｂを参照して示される方法のために提供され得る。
【００７３】
本明細書に示される全方法において、いくつかの上方閾値ＵＴ、いくつかの下方閾値ＬＴ、いくつかの上限値ＵＬ、ならびにいくつかの下限値ＬＬが、提供され得る。そうすることによって、例えば、指のゆっくりとした接近を指の高速接近から区別することが実行可能である。なぜなら、例えば、２つの上方閾値の好適な選択によって、両場合において、より低い閾値は上回られるが、しかしながら、ゆっくりとした接近では、２つの閾値のより高い方は、上回られないからである。
【００７４】
加えて、図６ｂに示されるのは、基準信号ＳＲＥＦに基づいて、かつ、検出信号Ｓ２．１および／またはＳ２．２に基づいて、生成される、情報信号Ｓ３のための実施例である。（デジタルおよびバイナリ）情報信号Ｓ３は、検出信号Ｓ２．１および／またはＳ２．２が、少なくとも１つの所定の情報基準を満たす場合、作成され、すなわち、論理ＨＩＧＨに設定され得る。
【００７５】
（情報基準のための実施例）
ａ）
−第１の検出信号Ｓ２．１の２つの（連続）パルスの立ち上がりエッジ間の時間間隔、および／または
−第２の検出信号Ｓ２．２の２つの（連続）パルスの立ち上がりエッジ間の時間間隔、および／または
−第１の検出信号Ｓ２．１のパルスの立ち上がりエッジと第２の検出信号Ｓ２．２のパルスの立ち上がりエッジとの間の時間間隔が、
所定の値を上回るか、または下回る。
ｂ）第１の検出信号Ｓ２．１のパルスまたは第２の検出信号Ｓ２．２のパルスのパルス持続時間が、所定の値を上回るか、または下回る。
ｃ）所定の時間期間Δｔ１内において、第１の検出信号Ｓ２．１、または第２の検出信号Ｓ２．２、または第１の検出信号Ｓ２．１および第２の検出信号Ｓ２．２が、所定の数のパルスを含む。
ｄ）第１の検出信号Ｓ２．１および第２の検出信号Ｓ２．２のパルスのシーケンスが、所定のパターンを含む。
【００７６】
情報基準のための前述の説明される実施例は、余す所のないものではなく、組み合わされ得る。
【００７７】
図６ｂに示される実施例では、所定の時間期間Δｔ１内において、２つの立ち上がりエッジが、第１の検出信号Ｓ２．１および第２の検出信号Ｓ２．２の各々において、検出されると、情報信号Ｓ３が、生成される。
【００７８】
検出信号Ｓ２．１およびＳ２．２はまた、可能性として考えられる誤差（測定誤差または動作誤差）を検出するために使用され得る。例えば、第１の検出信号Ｓ２．１における２つの時間的連続パルスは、第２の検出信号Ｓ２．２のパルスが、該２つのパルス間で検出されないとき、測定誤差を指し得る。
【００７９】
前述の示される閾値ＵＴおよびＬＴならびに限界値ＵＬおよびＬＬは、例えば、周囲条件の変化に応答するために、時間に伴って、動的に適合され得る。閾値ＵＴおよびＬＴはまた、それぞれ、電気携帯用デバイスＧの柔らかいまたは比較的にゆっくりとした圧搾ならびに指の比較的にゆっくりとした接近／除去のみ、動作入力として検出しない目的のために適合され得る。
【００８０】
閾値ＵＴおよびＬＴはまた、閾値が、最終的に、ユーザの個々の要件に適合され得るように、ユーザから要求される「試験動作入力」に基づいて、調節され得る。
【００８１】
図７は、本発明による評価方法に従って、情報信号を生成するための本発明による信号処理の実施例を示す。
【００８２】
第１のステップでは、電気信号が、電極（受信電極ＥＥまたはセンサ電極ＳＥ／ＥＥ）でタップされ、さらなる処理のために、デジタル測定信号を提供するアナログ／デジタルコンバータにフィードされる。続いて、デジタル測定信号は、測定信号事前処理にフィードされる。
【００８３】
本発明のある実施形態ではまた、異なる電気信号が、電極でタップされ、アナログ／デジタルコンバータにフィードされ得る。
【００８４】
例えば、２つの動作モードが、センサデバイスの動作のために提供され得る。第１の動作モード（伝送方式）では、伝送電極ＳＥと受信電極ＥＥとの間の容量性結合（伝送または吸収、図２ａ参照）が、検出される。容量性結合に割り当てられる測定信号は、伝送信号ＳＴとして表される。第２の動作モード（負荷方式）では、伝送電極ＳＥおよび／または受信電極ＥＥは、負荷電極ＳＥ／ＥＥとして使用され得、電極の容量性負荷が、検出される（図２ｂ参照）。容量性負荷に割り当てられる測定信号は、負荷信号ＳＬとして表される。伝送電極ＳＥならびに受信電極ＥＥが各々、負荷電極ＳＥ／ＥＥとして動作されると、２つの負荷信号ＳＬ１およびＳＬ２が、さらなる処理のために提供される。
【００８５】
加えて、例えば、第３の電極（図示せず）が、提供され得、好ましくは、受信電極ＥＥに隣接して配列される。そうすることによって、第１の動作モードでは、伝送電極ＳＥは、交番電気信号によって負荷がかけられ得、伝送電極ＳＥと受信電極ＥＥとの間の容量性結合が、検出され得る。伝送電極ＳＥと受信電極ＥＥとの間の容量性結合に割り当てられる測定信号は、第１の伝送信号ＳＴ１として表される。第２の動作モードでは、第３の電極は、交番電気信号によって負荷がかけられ得、第３の電極と受信電極との間の容量性結合が、検出され得る。第３の電極と受信電極ＥＥとの間の容量性結合に割り当てられる測定信号は、第２の伝送信号ＳＴ２として表される。代替として、第１の動作モードでは伝送電極のみ、第２の動作モードでは伝送電極および第３の電極が、交流信号によって負荷がかけられるように、伝送電極ＳＥは、第２の動作モードでも交番電気信号によって負荷がかけられ得る。
【００８６】
前述の２つの実施例は、包括的ではなく、組み合わされ得る。
【００８７】
図７に示されない信号処理ステップにおいて、デジタル測定信号ＳＴおよびＳＬ（および、ＳＬ１、ＳＬ２）と、ＳＴ１およびＳＴ２とから、事前処理にフィードされるべき測定信号Ｓ１が生成される。測定信号Ｓ１は、デジタル測定信号を組み合わせることによって、生成され得る。２つの前述の実施例の１つ目では、デジタル測定信号ＳＴは、例えば、測定信号の合計を形成することによって、デジタル測定信号ＳＬと組み合わされ得、デジタル測定信号は、重み付けされ得る（例えば、Ａ＊ＳＴ＋Ｂ＊ＳＬ、Ａ＊ＳＴ＋Ｂ＊ＳＬ１＋Ｃ＊ＳＬ２）。同様に、また、第２の実施例によるデジタル測定信号ＳＴ１およびＳＴ２も、互に組み合わされ得る。また、生成されるのは、重み付けされたデジタル測定信号の差異であり得る。デジタル測定信号の組み合わせのさらなる変形も、実行可能である。
【００８８】
さらなる実施形態では、デジタル測定信号は、互に組み合わされる前に、事前処理を受け得る。例えば、デジタル測定信号は、組み合わされる前に、低域通過フィルタリングを受け得る。
【００８９】
そのように形成された、組み合わされた測定信号Ｓ１または初期測定信号Ｓ１（測定信号の組み合わせが要求されなかった場合）は、測定信号事前処理にフィードされる。
【００９０】
測定信号事前処理は、図５ａ、図５ｂ、図６ａ、および図６ｂを参照して説明されるように実施される。このように、例えば、電極でタップされた信号（すなわち、組み合わされたまたは初期測定信号）の変動量は、図６ａおよび図６ｂを参照して説明されるように、決定され得る。
【００９１】
代替として、または加えて、また、電極でタップされた信号の変動率も、図５ａおよび図５ｂを参照して説明されるように、決定され得る。測定信号事前処理の結果は、１つ以上の基準信号である。変動率ならびに変動量が決定されると、２つの基準信号が、生成され得、さらなる評価のために使用され得る。このように、例えば、検出基準が、定義され、検出基準は、変動率ならびに変動量を考慮し得る。
【００９２】
測定信号事前処理の結果は、継続的に、監視および評価される。例えば、変動量が、正方向に変化すると、変動が、上方閾値ＵＴを上回るかどうかチェックされ得る。加えて、変動が、上限値ＵＬを上回るかどうか試験され得る。変動が、上方閾値ＵＴと上限値ＵＬとの間の範囲内にあるとき（検出基準１）、検出信号Ｓ２．２が、生成される。類似様式において、これはまた、負方向における量の変動ならびに比率の変動（変動率）にも該当する。
【００９３】
そのように生成された検出信号Ｓ２．１およびＳ２．２は、続いて、情報信号Ｓ３を生成するように適合されている信号評価にフィードされる。情報信号Ｓ３の形成の間、図６ｂを参照して述べられた情報基準が、使用され得る。情報信号Ｓ３は、例えば、単一、二重、三重、または複数の入力動作（例えば、指によるダブルクリック）が実施されたかどうかに関する情報を含み得る。
【００９４】
最後に、さらなる処理のための情報信号Ｓ３は、電気携帯用デバイス、例えば、携帯用デバイスのマイクロコントローラにフィードされ、情報信号に割り当てられるデバイス機能をアクティブ化し得る。
【００９５】
本発明による評価方法を実装する評価デバイスＡは、少なくとも１つの伝送電極ＳＥおよび少なくとも１つの受信電極ＥＥと一緒に、または少なくとも１つの負荷電極ＳＥ／ＥＥと一緒に、手によって把持され得、圧搾、解放、および／または指の接近／除去によるユーザ入力が、考慮されるべき、各電気携帯用デバイス内に提供され得る。
【００９６】
例えば、評価方法を実装するそれぞれの評価デバイスは、電極ＳＥおよびＥＥと一緒に、または少なくとも１つの負荷電極ＳＥ／ＥＥと一緒に、モバイル無線ユニット、コンピュータマウス、遠隔制御、またはゲーム用コンソールのための入力デバイス内に提供され得る。
【００９７】
例えば、評価方法を実装する評価デバイスＡは、ＡＳＩＣとして実装され得る。加えて、評価方法はまた、マイクロコントローラ、例えば、携帯電話のうちの１つ内に実装され得、マイクロコントローラは、最終的に、電極ＳＥおよびＥＥまたはＳＥ／ＥＥのためのそれぞれの接続を提供し、アナログセンサ信号を信号事前処理し、それらをデジタル化するように設計される必要のみある。マイクロコントローラは、混合信号マイクロコントローラであり得る。伝送電極ＳＥおよび負荷電極ＳＥ／ＥＥに供給され得る、それぞれの交番電気信号を提供するために、マイクロコントローラ内で利用可能な信号生成器が、使用され得る。
【００９８】
異なるデバイス機能が、検出された入力に割り当てられ得る。例えば、単一入力に割り当てられるのは、確認機能であり得、二重入力に割り当てられるのは、携帯電話の電話帳の読み出しであり得る。
【図１】
2014527217.tif 000003
【図２ａ】
2014527217.tif 000004
【図２ｂ】
2014527217.tif 000005
【図３】
2014527217.tif 000006
【図４】
2014527217.tif 000007
【図５ａ】
2014527217.tif 000008
【図５ｂ】
2014527217.tif 000009
【図６ａ】
2014527217.tif 000010
【図６ｂ】
2014527217.tif 000011
【図７】
2014527217.tif 000012
【国際調査報告】
2014527217.tif 000013
2014527217.tif 000014
2014527217.tif 000015
2014527217.tif 000016
2014527217.tif 000017